(57)【要約】【課題】製造が容易で的に磁着する吹矢を提供する。【解決手段】吹矢１は、矢筒２の内径より小径で所定の長さを有する矢本体３と、矢筒２の内径に対応した外径をもつ円形周囲部４ａを有しその先端側に先端面が平らな磁石５を固定した磁着部４との各一端部どうしを連結してなり、前記矢本体３の前記連絡端部に筒状連結部８を設けるとともに、前記磁着部４の前記連絡端部に前記筒状連結部８に挿し込み得る挿し込み部９を設け、この挿し込み部９を前記筒状連結部８に挿し込んで磁着部４と矢本体３を連結したものである。【選択図】図２
0003134627.tif 000002
【実用新案登録請求の範囲】
【請求項１】
所定の長さを有する矢本体と、矢筒の内径に対応した外径をもつ円形周囲部を有しその先端側に先端面が平らな磁石を固定した磁着部との各一端部どうしを連結してなる磁着式吹矢。
【請求項２】
所定の長さを有する矢本体と、矢筒の内径に対応した外径をもつ円形周囲部を有しその先端側に先端面が平らな磁石を固定した磁着部とを一体形成した磁着式吹矢。
【請求項３】
所定の長さを有する矢本体と、矢筒の内径に対応した外径をもつ円形周囲部を有しその先端側に先端面が平らな磁石を固定した磁着部との各一端部どうしを連結してなる磁着式吹矢であって、前記矢本体及び前記磁着部のうち一方の連絡端部に、筒状連結部を設けるとともに、前記矢本体及び前記磁着部のうち他方の連絡端部に、前記筒状連結部に挿し込み得る挿し込み部を設け、この挿し込み部を前記筒状連結部に挿し込んで磁着部と矢本体を連結したことを特徴とする磁着式吹矢。
【考案の詳細な説明】
【技術分野】
【０００１】
本考案は、誤って人体に当たっても安全な磁着式吹矢に係り、特に、端面が平らな磁石を矢本体先端に設けたものに関するものである。
【背景技術】
【０００２】
近年、吹矢は、的を射て楽しむ男女共通の娯楽、あるいは集中力強化やストレス解消にも役立つ呼吸法を取り入れたスポーツとして、各種クラブなどで静かなブームとなっているが、従来の一般的な吹矢は、的に当たると突き刺さるように構成されていて、樹脂フィルムなどのシート材を巻いて、長さ２００ｍｍ程度の円錐形状に形成した矢本体の先端に、重りとなる直径３ｍｍほどの半球形状の金具を付けたものや、矢本体の先端に釘を埋め込んだもの（特許文献１参照）がある。これら吹矢は、的に当たると突き刺さるように構成されていて、人体に当たると怪我をする恐れがあるので、上記一般的な吹矢に用いる円錐形状の矢本体先端に、先端面が平らな磁石をその先端に固定した磁着部端部を連結した磁着式吹矢（特許文献２参照）が提案されている。前記矢本体と磁着部との連結は、矢本体先端に設けられたテーパー状の透孔に、磁着部の前記磁石とは反対側の挿し込み部を挿し込んで行っている。この磁着式吹矢は、的に当たった時に的表面に設けた鉄板に前記磁着式吹矢の磁石が磁着するというものである。
【特許文献１】実用新案登録第３０５１４３２号公報
【特許文献２】実用新案登録第３１２７８０９号公報
【考案の開示】
【考案が解決しようとする課題】
【０００３】
上記特許文献２の磁着式吹矢は、矢本体先端の透孔が、先端に向かって徐々に径が縮小するいわゆるテーパー状であるため、磁着部の挿し込み部を前記矢本体の先端に挿し込みにくいとともに、挿し込んだ状態においては、挿し込み部と矢本体先端内面との間に隙間が存在するため、たとえ接着剤を用いてもがたつきが生じ、両者を強固に固定することが難しいという不都合があった。
【０００４】
本考案は、上記問題を解消することを課題とし、該課題を解決した磁着式吹矢を提供することを目的とする。
【課題を解決するための手段】
【０００５】
前記目的を達成するために、請求項１に係る磁着式吹矢は、所定の長さを有する矢本体と、矢筒の内径に対応した外径をもつ円形周囲部を有しその先端側に先端面が平らな磁石を固定した磁着部との各一端部どうしを連結してなるものである。
【０００６】
また、請求項２に係る磁着式吹矢は、所定の長さを有する矢本体と、矢筒の内径に対応した外径をもつ円形周囲部を有しその先端側に先端面が平らな磁石を固定した磁着部とを一体形成したものである。
【０００７】
さらに、請求項３に掛かる磁着式吹矢は、所定の長さを有する矢本体と、矢筒の内径に対応した外径をもつ円形周囲部を有しその先端側に先端面が平らな磁石を固定した磁着部との各一端部どうしを連結してなる磁着式吹矢であって、前記矢本体及び前記磁着部のうち一方の連絡端部に、筒状連結部を設けるとともに、前記矢本体及び前記磁着部のうち他方の連絡端部に、前記筒状連結部に挿し込み得る挿し込み部を設け、この挿し込み部を前記筒状連結部に挿し込んで磁着部と矢本体を連結したものである。
【考案の効果】
【０００８】
以上のように構成した請求項１記載の本考案によれば、人体に当たっても傷つかないような表面積を持たした先端面が平らな磁石を矢本体先端に設けることにより、安全であるとともに、矢本体と磁着部の各連結端部を強固に固定することができるという効果を奏する。
【０００９】
また、請求項２記載の本考案によれば、人体に当たっても傷つかないような表面積を持たした先端面が平らな磁石を矢本体先端に設けることにより、安全であるとともに、矢本体と磁着部を一体的に形成するので、丈夫であるうえ、製造が容易であるという効果を奏する。
【００１０】
請求項３記載の本考案によれば、人体に当たっても傷つかないような表面積を持たした先端面が平らな磁石を矢本体先端に設けることにより、安全であるとともに、挿し込み部と筒状連結部内面との間に隙間が生じず、矢本体と磁着部を強固に固定することができるうえ、連結作業が簡単で製造が容易であるという効果を奏する。
【考案を実施するための最良の形態】
【００１１】
次に、本考案の好適な第１実施形態を添付図面の図１〜図３に基づいて詳細に説明する。ここにおいて、図１は矢筒に装填された状態を示す吹矢の正面図、図２は的に当たった状態を示す吹矢の部分拡大縦断面図、図３は吹矢の拡大側面図である。
【００１２】
図１〜図３に示すように、吹矢１は、矢筒２の内径より小径で全体を同径に形成し、一般的な吹矢の矢本体（円錐形状の矢本体）とほぼ同じ長さを有するパイプ状の矢本体３と、前記矢筒２の内径に対応した外径をもつ円形周囲部４ａを有し、その先端側に先端面が平らな磁石５を固定した磁着部４との各端部どうしを連結してなる。この前記吹矢１は、前記磁石５を除いて合成樹脂を成形して作成したものである。
【００１３】
図２及び図３に示すように、前記磁着部４は、前記磁石５を嵌合して支持するための支持体６と、この支持体６を、その先端を除いて被覆するように設けた連結部７とを一体的化して成る。前記連結部７の磁石５側とは反対側は、全体を同径に形成した筒状連結部たる矢本体端部８の内径と同一の外径を有する挿し込み部９となす。そして、この挿し込み部９に接着剤（図示せず）を塗布したものを前記矢本体端部８に挿し込んで、矢本体３と磁着部４とを連結する。なお、前記接着剤は、嵌合状態が強固な場合は必要ない。
【００１４】
図１に示す矢筒２は公知のもので、長さ１２００ｍｍ、内径１３ｍｍ、外径１５ｍｍの一本のアルミ製パイプ材で形成され、吹き口に着脱可能にマウスピース１０を嵌合してある。前記磁着部４の円形周囲部４ａの外径は、前述のように、矢筒２の内径に対応するよう、１３ｍｍあるいは１３ｍｍより若干小径に形成するものである。
【００１５】
図２に示すように、的１１は、鉄板１２の表面に薄い磁着性を有するゴムシート１３を設けてなるものである。そして、磁着部４側から前記矢筒２に装填され、射手がマウスピース１０側から矢筒２に空気を吹き込むと、強い空気圧が円形周囲部４ａの後側にかかり、吹矢１は矢筒２から飛び出す。このように射られた吹矢１が的１１に当たると、ゴムシート１３の弾力によって吹矢１の勢いが消されて停止し、かつゴムシート１３に吹矢１先端の磁石５が磁着して、吹矢１は横方向に伸びた状態、すなわち、吹矢１が的１１に刺さった横向き状態と同様の状態で停止する。
【００１６】
続いて、本考案の第２実施形態を図４及び図５に基づいて説明する。ここにおいて、図４は吹矢の縦断面図、図５は図４のＡ−Ａ線断面図である。なお、矢筒と的については、上述の第１実施形態と同一構成なので、同一符号を付して説明するにとどめ、図示は省略する。
【００１７】
図４及び図５に示すように、吹矢２１は、矢筒２の内径より小径で所定の長さを有する棒状の矢本体２２と、矢筒２の内径に対応した外径をもつ円形周囲部２３ａを有しその先端側に先端面が平らな磁石２４を嵌合固定した磁着部２３とを一体形成してなるものである。
【００１８】
前記吹矢２１は、前記第１実施形態の吹矢１と同様に、磁着部２３側から矢筒２に装填し、射手がマウスピース１０側から矢筒２に空気を吹き込むと、強い空気圧が円形周囲部２３ａの後側にかかり、吹矢２１は矢筒２から飛び出す。そして、このように射られた吹矢２１が的１１に当たると、ゴムシート１３の弾力によって吹矢２１の勢いが消されて停止し、かつゴムシート１３に吹矢２１先端の磁石２４が磁着して、吹矢２１は横方向に伸びた状態、すなわち、吹矢２１が的１１に刺さった横向き状態と同様の状態で停止するものである。
【００１９】
続いて、本考案の第３実施形態を図６及び図７に基づいて説明する。ここにおいて、図６は吹矢の部分縦断面図、図７は図６のＢ−Ｂ線拡大断面図である。なお、矢筒と的については、上述の第１実施形態と同一構成なので、同一符号を付して説明するにとどめ、図示は省略する。
【００２０】
図６及び図７に示すように、吹矢３１は、所定の長さを有する２本の板状の矢本体３２，３２と、矢筒２の内径に対応した外径をもつ円形周囲部３３ａを有しその先端側に先端面が平らな磁石３４を固定した磁着部３３との各端部どうしを連結してなる。
【００２１】
図６に示すように、前記磁着部３３の前記磁石３４とは反対側端部には、筒状連結部３７を設ける。矢本体端部３８，３８は、前記筒状連結部３７に挿し込んで連結するための挿し込み部となり、この矢本体端部３８に接着剤（図示せず）を塗布したものを前記筒状連結部３７に挿し込んで磁着部３３と矢本体３２を連結する。
【００２２】
前記吹矢３１は、磁着部３３側から矢筒２に装填し、射手がマウスピース１０側から矢筒２に空気を吹き込むと、強い空気圧が円形周囲部３３ａの後側にかかり、吹矢３１は矢筒２から飛び出す。そして、このように射られた吹矢３１が的１１に当たると、ゴムシート１３の弾力によって吹矢３１の勢いが消されて停止し、かつゴムシート１３に吹矢３１先端の磁石３４が磁着して、吹矢３１は横方向に伸びた状態、すなわち、吹矢３１が的１１に刺さった横向き状態と同様の状態で停止するものである。
【００２３】
なお、本考案は、上記各実施形態になんら限定されるものではなく、例えば、矢本体は、１本あるいは複数本の紐状のものでもよい。また、第１実施形態、弟３実施形態における挿し込み部と筒状連結部は、矢本体側と磁着部側とを反対にして設けてもよい。さらに、矢本体の磁着部とは反対側端部に、鈴などを設けてもよい。
【図面の簡単な説明】
【００２４】
【図１】矢筒に装填された状態を示す吹矢の正面図。
【図２】的に当たった状態を示す吹矢の部分拡大縦断面図。
【図３】吹矢の拡大側面図。
【図４】第２実施形態における吹矢の縦断面図。
【図５】図４のＡ−Ａ線断面図。
【図６】第３実施形態における吹矢の部分縦断面図。
【図７】図６のＢ−Ｂ線断面図。
【符号の説明】
【００２５】
１    吹矢
２    矢筒
３    矢本体
３ａ    円形周囲部
４    磁着部
５    磁石
６    支持体
７    連結部
８    矢本体端部
９    挿し込み部
１０    マウスピース
１１    的
１２    鉄板
１３    ゴムシート
２１    吹矢
２２    矢本体
２３    磁着部
２３ａ    円形周囲部
２４    磁石
３１    吹矢
３２    矢本体
３３    磁着部
３３ａ    円形周囲部
３４    磁石
３５，３６    受圧体
３７    筒状連結部
３８    矢本体端部
【図１】
0003134627.tif 000003
【図２】
0003134627.tif 000004
【図３】
0003134627.tif 000005
【図４】
0003134627.tif 000006
【図５】
0003134627.tif 000007
【図６】
0003134627.tif 000008
【図７】
0003134627.tif 000009
【手続補正書】
【提出日】平成19年6月27日(2007.6.27)
【手続補正１】
【補正対象書類名】実用新案登録請求の範囲
【補正対象項目名】全文
【補正方法】変更
【補正の内容】
【実用新案登録請求の範囲】
【請求項１】
所定の長さを有する矢本体の一端部に磁着部の一端部を連結してなり、磁着部の先端側には、矢筒の内径に対応した外径をもつ円形周囲部を設けるとともに、先端面が平らな磁石を固定してなる磁着式吹矢。
【請求項２】
所定の長さを有する矢本体と磁着部とを一体形成してなり、磁着部の先端側には、矢筒の内径に対応した外径をもつ円形周囲部を設けるとともに、先端面が平らな磁石を固定してなる磁着式吹矢。
【請求項３】
所定の長さを有する矢本体の一端側に磁着部の一端部を連結してなり、磁着部の先端側には、矢筒の内径に対応した外径をもつ円形周囲部を設けるとともに、先端面が平らな磁石を固定してなる磁着式吹矢であって、前記矢本体及び前記磁着部のうち一方の連結端部に、筒状連結部を設けるとともに、前記矢本体及び前記磁着部のうち他方の連結端部に、前記筒状連結部に挿し込み得る挿し込み部を設け、この挿し込み部を前記筒状連結部に挿し込んで磁着部と矢本体を連結したことを特徴とする磁着式吹矢。